(57)【要約】【目的】  強度が弱くなる部分をなくし、耐荷重性能を高めた手摺り用台座およびその製造方法を提供する。【構成】  全長にわたって同径の棒材が変形されて、下方に台座部および上方にアーム部が連続形成されている。【選択図】図１
2005155046.tif 000002
【特許請求の範囲】
【請求項１】
全長にわたって同径の棒材が変形されて、下方に台座部および上方にアーム部が連続形成されていることを特徴とする手摺り用台座。
【請求項２】
全長にわたって同径の棒材が輪状になっており、この輪状の棒材が変形されて、下方に台座部および上方にアーム部が連続形成されていることを特徴とする手摺り用台座。
【請求項３】
全長にわたって同径の棒材を下方に台座部および上方にアーム部が連続形成されるように力を加えて変形させることを特徴とする手摺り用台座の製造方法。
【請求項４】
全長にわたって同径の棒材を輪状とし、輪状とされた棒材を下方に台座部および上方にアーム部が連続形成されるように力を加えて変形させることを特徴とする手摺り用台座の製造方法。
【発明の詳細な説明】
【技術分野】
【０００１】
この出願の発明は、壁面等に手摺りを取り付けるための手摺り用台座およびその製造方法に関するものである。
【背景技術】
【０００２】
従来、手摺り用台座としては、たとえば図３に例示したように、台座体（ア）およびアーム体（イ）とからなるものが知られている。この手摺り用台座によれば、手摺り（エ）は、壁面（ウ）に固定された台座体（ア）から延びたアーム体（イ）の上端部に固定されて、壁面（ウ）に取り付けられることとなる。たとえば特許文献１にも同様な構成の手摺り用台座が記載されている。
【特許文献１】特開平１１−１０７４７８号公報
【発明の開示】
【発明が解決しようとする課題】
【０００３】
しかしながら、上記のとおりの従来の手摺り用台座では、台座体（ア）とアーム体（イ）とが互いに別部材となっているため、過度の負荷がかかると繋ぎ目部分で折れてしまう恐れがあった。また、このような手摺り用台座の製造にはダイキャストが多く採用されており、それに起因する強度のばらつきが生じるため、弱い部分で余計に折れ易くなってしまう。
【０００４】
そこで、以上のとおりの事情に鑑み、この出願の発明は、強度が弱くなる部分をなくし、耐荷重性能を高めた手摺り用台座を提供することを課題としている。
【課題を解決するための手段】
【０００５】
この出願の発明は、上記の課題を解決するものとして、第１には、全長にわたって同径の棒材が変形されて、下方に台座部および上方にアーム部が連続形成されていることを特徴とする手摺り用台座を提供する。
【０００６】
第２には、全長にわたって同径の棒材が輪状になっており、この輪状の棒材が変形されて、下方に台座部および上方にアーム部が連続形成されていることを特徴とする手摺り用台座を提供する。
【０００７】
第３には、全長にわたって同径の棒材を下方に台座部および上方にアーム部が連続形成されるように力を加えて変形させることを特徴とする手摺り用台座の製造方法を提供する。
【０００８】
第４には、全長にわたって同径の棒材を輪状とし、輪状とされた棒材を下方に台座部および上方にアーム部が連続形成されるように力を加えて変形させることを特徴とする手摺り用台座の製造方法を提供する。
【発明の効果】
【０００９】
上記第１および第２の手摺り用台座によれば、全長にわたって同径の棒材を変形させて台座部およびアーム部を連続形成させたものとすることで、台座部およびアーム部は連続した一本の棒材からなる一体成形部材となり、且つその連続全長がほぼ同径となるため、弱い部分のない、全体にほぼ均一な強度を持った、高い耐荷重性能の手摺り用台座を実現することができる。
【００１０】
上記第３および第４の手摺り用台座によれば、全長にわたって同径の棒材を変形させて台座部およびアーム部を連続形成させたものとすることで、台座部およびアーム部は連続した一本の棒材からなる一体成形部材となり、且つその連続全長がほぼ同径となるため、弱い部分のない、全体にほぼ均一な強度を持った、高い耐荷重性能の手摺り用台座を製造することができる。またこの場合、従来採用されているダイキャストではなく、力をかけて棒材を変形させるため、製造時の強度のばらつきも生じ難くなる。
【発明を実施するための最良の形態】
【００１１】
［第１の実施形態］
図１は、上記のとおりの特徴を有するこの出願の発明の一実施形態を示したものである。
【００１２】
この図１の実施形態では、全長にわたって同径の棒材を一本用意し、それを力を加えて変形させることで、下方に台座部（１１）および上方にアーム部（１２）が連続形成されており、これら台座部（１１）およびアーム部（１２）間に全く継ぎ目のない連続一体形状の手摺り用台座（１）となっている。
【００１３】
より具体的には、台座部（１１）は、壁面（２）に固定されて手摺り用台座（１）を壁面（２）に取り付け支持する部分であって、側方から見て棒材の裏側が壁面（２）に当接するようにほぼ鉛直に延びた縦長形状を有しており、アーム部（１２）は、その上端にて手摺り（３）を取り付け支持する部分であって、側方から見て台座部（１１）の上端部分から斜め前上方向に延びた略段形状を有しており、一本の棒材がこれらの形状に力で変形されて、両者の間に全く継ぎ目のない、径も略同一である連続一体部材となっている。
【００１４】
これにより、前述した従来の手摺り用台座よりも優れた耐荷重性を有し、アーム部（１２）が台座部（１１）から折れ難い手摺り用台座（１）が実現されている。
【００１５】
［第２の実施形態］
また、この出願の発明では、たとえば図２（ａ）（ｂ）に例示したように、全長にわたって同径の棒材を一本用意して、まずそれを輪状とし、輪状となった棒材をさらに力を加えて変形させて、下方に台座部（１１）および上方にアーム部（１２）を連続形成させるようにしてもよい。
【００１６】
この場合の台座部（１１）およびアーム部（１２）も、上記図１の実施形態と同様に、側方から見た形状は縦長形状および略段形状となっており（両者が段違い形状になっているとも言える）、もちろん正面から見た全体形状は一本の棒材からなる輪状のままであり、全長にわたって継ぎ目なく同径の連続一体部材となっており、やはりアーム部（１２）が台座部（１１）から折れ難い手摺り用台座（１）が実現されている。
【００１７】
以上の台座部（１１）の壁面（２）への固定および手摺り（３）のアーム部（１２）への固定は、それぞれ、たとえば図１および図２（ａ）（ｂ）に例示したように台座部（１１）およびアーム部（１２）の適宜位置を貫通した固定ネジ（４）および固定ネジ（５）を壁面（２）および手摺り（３）にねじ込むことで行われる。なお、図２の実施形態では、三つの固定ネジ（４）を台座部（１１）における左右・下位置にて螺入させており（図２（ａ）参照）、二つや一つのみの場合よりも固定強度を向上させているとともに、手摺り用台座（１）自体の回動も防いでいる。
【００１８】
もちろん、この出願の発明は以上の実施形態に限定されるものではなく、細部については様々な態様が可能である。
【００１９】
たとえば、台座部（１１）およびアーム部（１２）の側方から見た形状は上記図１や図２の実施形態のものに限定されず、少なくとも壁面（２）に手摺り（３）を取り付け支持することができればよい。ただし、図１および図２の実施形態における段違い形状によれば、壁面（２）から前方に十分離れた位置にて手摺り（３）を支持することができ、手摺り（３）を壁面（２）から十分離して握り易くしている。
【産業上の利用可能性】
【００２０】
以上詳しく説明した通り、この出願の発明によって、従来の手摺り用台座よりも優れた耐荷重性を有する手摺り用台座、およびその製造方法が提供される。
【図面の簡単な説明】
【００２１】
【図１】この出願の発明の一実施形態を示した側面図である。
【図２】この出願の発明の別の一実施形態を示した図であり、（ａ）は正面図、（ｂ）は側面図である。
【図３】従来の手摺り用台座を例示した斜視図である。
【符号の説明】
【００２２】
１  手摺り用台座
１１  台座部
１２  アーム部
２  壁面
３  手摺り
４，５  固定ネジ
【図１】
2005155046.tif 000003
【図２】
2005155046.tif 000004
【図３】
2005155046.tif 000005